(57)【要約】【課題】利便性を向上させることができる浴室暖房乾燥機を提供する。【解決手段】浴室Ｂ内の空気を吸い込む吸込口１５ａと、浴室Ｂ内に空気を送り出す送気口１５ｂと、吸込口１５ａから吸い込んだ空気を温める熱交換器１６（加温部）と、熱交換器１６（加温部）によって温められた空気を送気口１５ｂに送風する循環送風機１７と、熱交換器１６（加温部）と循環送風機１７とを制御する制御部３３と、を備えた浴室暖房乾燥機１０であって、制御部３３により制御され、外気を取り込み、取り込んだ外気を送気口１５ｂに送風する給気送風機２７を備えたことを特徴とする浴室暖房乾燥機。【選択図】図１
2017181016.tif 000002
【特許請求の範囲】
【請求項１】
浴室内の空気を吸い込む吸込口と、
前記浴室内に空気を送り出す送気口と、
前記吸込口から吸い込んだ空気を温める加温部と、
前記加温部によって温められた空気を前記送気口に送風する循環送風機と、
前記加温部と前記循環送風機とを制御する制御部と、
を備えた浴室暖房乾燥機であって、
前記制御部により制御され、外気を取り込み、取り込んだ外気を前記送気口に送風する給気送風機を備えたことを特徴とする浴室暖房乾燥機。
【請求項２】
前記浴室内に空気を送風する方向を調整するルーバーを備え、
前記ルーバーの方向は、前記制御部により制御され、
前記制御部は、
前記給気送風機による外気の送風が前記浴室内の壁面側に向かうように前記ルーバーを制御する間接風モードと、
前記給気送風機による外気の送風が前記浴室内の床面側に向かうように前記ルーバーを制御する直接風モードと、
を有することを特徴とする請求項１に記載の浴室暖房乾燥機。
【請求項３】
前記制御部は、前記給気送風機により送風する外気の風量を変動させるゆらぎ制御を実施することを特徴とする請求項１または２に記載の浴室暖房乾燥機。
【請求項４】
前記浴室内の空気を排気する排気送風機を備え、
前記排気送風機は、前記制御部により制御され、
前記制御部は、前記給気送風機により送風する外気の風量よりも前記排気送風機により排気される風量を多くするよう制御することを特徴とする請求項１から３の何れか１項に記載の浴室暖房乾燥機。
【請求項５】
前記浴室内の空気を排気する排気送風機を備え、
前記排気送風機は、前記制御部により制御され、
前記制御部は、前記排気送風機により前記浴室内の空気を外部に排気する排気運転モードを有し、
さらに前記制御部は、前記排気運転モードにおいて、前記給気送風機により送風する外気の風量を、前記排気送風機により排気される風量の１〜１５％となるよう制御することを特徴とする請求項１から３の何れか１項に記載の浴室暖房乾燥機。
【発明の詳細な説明】
【技術分野】
【０００１】
本発明は、浴室に設けられる浴室暖房乾燥機に関する。
【背景技術】
【０００２】
家庭用の浴室の天井面等に設置される家庭用の浴室暖房乾燥機は、本体ケース内に浴室内の空気を温める加温部（熱交換器）が備えられる（例えば、特許文献１参照）。
【先行技術文献】
【特許文献】
【０００３】
【特許文献１】特開２０１４−１０５９７９号公報
【発明の概要】
【発明が解決しようとする課題】
【０００４】
ところで、上記のような浴室暖房乾燥機では、浴室内の空気を加温部によって温めることで使用者に対して快適な浴室空間を提供しているが、更なる快適性の向上が望まれている。
【０００５】
本発明は、上記課題を解決するためになされたものであって、その目的は、更なる快適性の向上を実現させることができる浴室暖房乾燥機を提供することにある。
【課題を解決するための手段】
【０００６】
上記課題を解決するために、本発明の一態様に係る浴室暖房乾燥機は、浴室内の空気を吸い込む吸込口と、前記浴室内に空気を送り出す送気口と、前記吸込口から吸い込んだ空気を温める加温部と、前記加温部によって温められた空気を前記送気口に送風する循環送風機と、前記加温部と前記循環送風機とを制御する制御部と、を備えた浴室暖房乾燥機であって、前記制御部により制御され、外気を取り込み、取り込んだ外気を前記送気口に送風する給気送風機を備える。
【発明の効果】
【０００７】
本発明の浴室暖房乾燥機によれば、更なる快適性の向上を実現させることができる。
【図面の簡単な説明】
【０００８】
【図１】本発明の実施の形態１の浴室暖房乾燥機を浴室に設置した状態を示す側面図
【図２】同浴室暖房乾燥機のルーバーを床面へ向けた状態を示す側面図
【図３】（ａ）同浴室暖房乾燥機の第１ダンパ近傍を示す側面図（ｂ）同浴室暖房乾燥機の第２ダンパ近傍を示す側面図
【図４】同浴室暖房乾燥機の構成を示すブロック図
【図５】本発明の実施の形態２の浴室暖房乾燥機を浴室に設置した状態を示す側面図
【図６】本発明の実施の形態２の浴室暖房乾燥機のルーバーを床面へ向けた状態を示す側面図
【図７】本発明の実施の形態２の浴室暖房乾燥機の構成を示すブロック図
【発明を実施するための形態】
【０００９】
本発明の一態様に係る浴室暖房乾燥機は、浴室内の空気を吸い込む吸込口と、前記浴室内に空気を送り出す送気口と、前記吸込口から吸い込んだ空気を温める加温部と、前記加温部によって温められた空気を前記送気口に送風する循環送風機と、前記加温部と前記循環送風機とを制御する制御部と、を備えた浴室暖房乾燥機であって、前記制御部により制御され、外気を取り込み、取り込んだ外気を前記送気口に送風する給気送風機を備えたという構成を有する。
【００１０】
これにより、温かい浴室に、浴室内の空気より低い温度の外気を導入し、浴室環境をより快適なものとすることができる。
【００１１】
また、前記浴室内に空気を送風する方向を調整するルーバーを備え、前記ルーバーの方向は、前記制御部により制御され、前記制御部は、前記給気送風機による外気の送風が前記浴室内の壁面側に向かうように前記ルーバーを制御する間接風モードと、前記給気送風機による外気の送風が前記浴室内の床面側に向かうように前記ルーバーを制御する直接風モードと、を有するという構成としてもよい。
【００１２】
これにより、浴室への外気の送風方向を利用者が選択することができる。
【００１３】
また、前記制御部は、前記給気送風機により送風する外気の風量を変動させるゆらぎ制御を実施するという構成としてもよい。
【００１４】
これにより、さらに快適性を向上させることができる。
【００１５】
また、前記浴室内の空気を排気する排気送風機を備え、前記排気送風機は、前記制御部により制御され、前記制御部は、前記給気送風機により送風する外気の風量よりも前記排気送風機により排気される風量を多くするよう制御するという構成としてもよい。
【００１６】
これにより、浴室内を負圧とし、浴室内の高湿度の空気が浴室外に逆流することを抑制することができる。
【００１７】
また、前記浴室内の空気を排気する排気送風機を備え、前記排気送風機は、前記制御部により制御され、前記制御部は、前記排気送風機により前記浴室内の空気を外部に排気する排気運転モードを有し、さらに前記制御部は、前記排気運転モードにおいて、前記給気送風機により送風する外気の風量を、前記排気送風機により排気される風量の１〜１５％となるよう制御するという構成としてもよい。
【００１８】
これにより、給気送風機および給気送風機に連通する連通管（給気側連通管）内に風が流れ、給気送風機内および給気側連通管内の空気の滞留を抑制することができ、給気送風機内および給気側連通管内の汚れを抑制することができる。
【００１９】
（実施の形態１）
以下、浴室暖房乾燥機の一実施形態を図面に従って説明する。
【００２０】
図１は、本発明の実施の形態１の浴室暖房乾燥機を浴室に設置した状態を示す側面図である。図１に示すように、本実施の形態１の浴室暖房乾燥機１０は、浴室Ｂの天井部Ｂｘに設置されている。
【００２１】
また、浴室Ｂには連通口例えばガラリ３５が設けられている。浴室Ｂへの空気の流入の一部が、ガラリ３５から行われてもよい。
【００２２】
浴室暖房乾燥機１０は、本体部１１と、本体部１１と接続されて浴室Ｂ内の空気を排気する排気部１２と、本体部１１と接続されて浴室Ｂ内に外気を導入する外気導入部１３とを有する。
【００２３】
本体部１１は、略有底四角箱状の本体ケース１４の下方に略矩形板状のフロントパネル１５が取着されている。
【００２４】
浴室暖房乾燥機１０は、略直方体状の本体部１１が天井部Ｂｘに埋め込まれ、フロントパネル１５が浴室Ｂ内に露出する態様をなして天井部Ｂｘに対して接して取り付けられている。本体部１１は、天井部Ｂｘ内（天井裏）において、温水器から温水を供給する配管と、本体部１１内を通り再び温水器に温水を戻す配管とがそれぞれ接続されている。なお、温水器および配管は図示を省略する。
【００２５】
本体ケース１４内に、熱交換器１６（加温部）、循環送風機１７、仕切り板１８、風路壁３６等を備えている。
【００２６】
熱交換器１６は、内部に温水器からの温水が循環し、フロントパネル１５の吸込口１５ａから吸い込まれた空気を加温する。また、熱交換器１６は、吸い込まれた空気を加温する際に動作する。
【００２７】
循環送風機１７は、電動モータ（図示せず）にてファン（図示せず）を駆動して吸込口１５ａ、熱交換器１６、第１風路３８、フロントパネル１５の送気口１５ｂ、を通る順に空気を送風する（循環送風）。第１風路３８は、仕切り板１８と風路壁３６とで仕切られた風路である。仕切り板１８および風路壁３６は、循環送風機１７にて発生させた空気流を送気口１５ｂに向けて案内する。
【００２８】
本体部１１には、ルーバー１９が送気口１５ｂと対応する位置に設けられる。ルーバー１９は、送気口１５ｂから浴室Ｂへの送風方向を、傾動動作によって調整する。
【００２９】
図１に示すように、本体部１１は、第１ダンパ２１と第２ダンパ２２とを有する。
【００３０】
第１ダンパ２１は、傾動動作によって、本体部１１と排気部１２との間の風路の開閉を行うものである。即ち、第１ダンパ２１を閉状態とすることで本体部１１と排気部１２との間の風路が閉鎖されて、本体部１１から排気部１２側への空気の流出が遮断される。また、第１ダンパ２１を開状態とすることで、本体部１１と排気部１２との間の風路が開放されて、本体部１１から排気部１２側への空気の流出が可能な状態とされる。
【００３１】
第２ダンパ２２は、傾動動作によって、本体部１１と外気導入部１３との間の風路の開閉を行うものである。即ち、第２ダンパ２２を閉状態とすることで、本体部１１と外気導入部１３との間の風路が閉鎖されて、外気導入部１３から本体部１１側への空気の流入（導入）が遮断される。また、第２ダンパ２２を開状態とすることで、本体部１１と外気導入部１３との間の風路が開放されて、外気導入部１３から本体部１１側への空気の流入（導入）が可能な状態とされる。
【００３２】
第１ダンパ２１が開状態の場合、吸込口１５ａ、吸込口１５ａと第３風路４１とが連通する排気風路（図示せず）、第３風路４１、排気部１２、を順に通るように空気が流出する。第３風路４１は、本体ケース１４の内側天面３７と排気側仕切り板４０とで仕切られた風路である。図１に示す破線矢印ＥＡは、流出する（排気される）空気の流れを示す一例である。
【００３３】
第２ダンパ２２が開状態の場合、外気導入部１３、第２風路３９、第１風路３８、送気口１５ｂ、を順に通るように空気が流入する。第２風路３９は、排気側仕切り板４０と仕切り板１８とで仕切られた風路である。
【００３４】
なお、上述した循環送風の場合は、第１ダンパ２１が閉状態で且つ第２ダンパ２２が閉状態である。
【００３５】
そして、排気部１２はケース２３と排気送風機２４とを有し、ケース２３内に排気送風機２４が収容される。ケース２３は、本体ケース１４に対して側面に取り付けられる。そして、ケース２３は、外部と連通する連通管２５が接続される。排気送風機２４は、電動モータ（図示せず）にて駆動されるファン（図示せず）を有する。そして、排気送風機２４は、第１ダンパ２１が開状態である場合に電動モータにてファンが駆動されることで、連通管２５を通して浴室Ｂ内の空気が排出可能となっている。なお、連通管２５は、例えば屋外と連通する。
【００３６】
そして、外気導入部１３はケース２６と給気送風機２７とを有し、ケース２６内に給気送風機２７が収容される。ケース２６は、本体ケース１４に対して側面に取り付けられる。そして、ケース２６は、外部と連通する連通管２８が接続される。給気送風機２７は、電動モータ（図示せず）にて駆動されるファン（図示せず）を有する。そして、給気送風機２７は、第２ダンパ２２が開状態である場合に電動モータにてファンが駆動されることで、連通管２８を通して浴室Ｂ内に外気が導入可能となっている。
【００３７】
本実施の形態１の外気導入部１３の連通管２８には異物としての塵埃を除去するフィルタ部２８ａが設けられる。これにより、浴室Ｂ内への外気の導入において、外気が連通管２８を通る際、フィルタ部２８ａによって外気に含まれる異物の塵埃が捕まえられる。そして、異物の塵埃が取り除かれた外気が、外気導入部１３と本体部１１とを通って浴室Ｂ内に導入される。なお、連通管２８が連通する外部とは、浴室Ｂ以外の他室または屋外である。本実施の形態１では、連通管２８は他室と接続されるものとする。
【００３８】
浴室暖房乾燥機１０は例えば、暖房運転と、外気取込運転と、２４時間換気排気運転と、を行う。
【００３９】
浴室暖房乾燥機１０は暖房運転（暖房運転モード）によって、浴室Ｂ内の空気を温め暖房する。このとき、第１ダンパ２１は閉状態で且つ第２ダンパ２２は閉状態である。そして、循環送風機１７によって浴室Ｂ内の空気が吸込口１５ａから本体部１１内に取り込まれる。取り込まれた空気が熱交換器１６によって温められ、第１風路３８を通って送気口１５ｂから浴室Ｂ内に送り出される。
【００４０】
浴室暖房乾燥機１０は外気取込運転（外気取込運転モード）によって、浴室Ｂ内への外気の導入と浴室Ｂ内の空気の外部への排気とを行う。このとき、第１ダンパ２１は開状態で且つ第２ダンパ２２は開状態である。そして、給気送風機２７によって、外気導入部１３、第２風路３９、第１風路３８、送気口１５ｂ、を順に通って浴室Ｂに外気が導入される。排気送風機２４によって、吸込口１５ａ、吸込口１５ａと第３風路４１とが連通する排気風路（図示せず）、第３風路４１、排気部１２、を順に通って本体部１１から外部へ浴室Ｂ内の空気が排気される。なお、外気取込運転では、給気風量より排気風量が多いことが好ましい。排気風量が給気風量よりも多いことで、浴室Ｂ内を負圧に保つことができ、浴室Ｂ内の高湿度の空気が他室へ逆流することを抑制できる。
【００４１】
また、外気取込運転は、外気取込直接風モードと外気取込間接風モードとを含む。外気取込直接風モードおよび外気取込間接風モードについて、図１および図２を用いて説明する。
【００４２】
図２は、本実施の形態１の浴室暖房乾燥機のルーバーを床面へ向けた状態を示す側面図である。
【００４３】
外気取込間接風モードでのルーバー１９の傾動位置は、図１に示すように、風向きが浴室Ｂの壁面Ｂａ側となるような位置である。また、外気取込直接風モードでのルーバー１９の傾動位置は、図２に示すように、風向きが浴室Ｂの床面Ｂｂ側となるような位置である。
【００４４】
また、外気取込直接風モードもしくは外気取込間接風モードにおいて、浴室Ｂに送風される外気の風量をランダムに変動させることが好ましい。これにより更なる快適性の向上を図ることができる。
【００４５】
図１を用いて、２４時間換気排気運転（排気運転モード）について説明する。浴室暖房乾燥機１０は２４時間換気排気運転によって、浴室Ｂの換気を行う。このとき、第１ダンパ２１は開状態で且つ第２ダンパ２２は開状態である。そして、給気送風機２７によって、外気導入部１３、第２風路３９、第１風路３８、送気口１５ｂ、を順に通って浴室Ｂに外気が導入される。排気送風機２４によって、吸込口１５ａ、吸込口１５ａと第３風路４１とが連通する排気風路（図示せず）、第３風路４１、排気部１２、を順に通って本体部１１から外部へ浴室Ｂ内の空気が排気される。このとき給気送風機２７による給気風量は排気送風機２４による排気風量の１％〜１５％であることが好ましい。これにより、排気送風機２４による排気風量を確保しつつ、給気送風機２７および連通管２８内に風を流すことができ、給気送風機２７内および連通管２８内の空気の滞留と汚れを抑制することができる。
【００４６】
ここで第１ダンパ２１および第２ダンパ２２の取付について図１および図３を用いて説明する。図３（ａ）は、本発明の実施の形態１の浴室暖房乾燥機の第１ダンパ近傍を示す側面図である。図３（ｂ）は、本発明の実施の形態１の浴室暖房乾燥機の第２ダンパ近傍を示す側面図である。
【００４７】
図３（ａ）に示すように、第１ダンパ２１は第１ダンパ取付部材２１ｂに取り付けられる。第１ダンパ取付部材２１ｂは、たとえば板状である。また、図３（ｂ）に示すように、第２ダンパ２２は第２ダンパ取付部材２２ｂに取り付けられる。第２ダンパ取付部材２２ｂは、たとえば板状である。
【００４８】
なお、第１ダンパ取付部材２１ｂは、図１に示すように排気部１２と連通する開口面を有する箱状であってもよい。また、第２ダンパ取付部材２２ｂは、図１に示すように外気導入部１３と連通する開口面を有する箱状であってもよい。
【００４９】
また、浴室暖房乾燥機１０は、使用者によって操作される操作部２９を有する。なお、操作部２９は、浴室Ｂの外（浴室Ｂの入口近傍）に配設されている。
【００５０】
ここで、浴室暖房乾燥機１０の操作の一例について図４を用いて説明する。図４は、浴室暖房乾燥機１０の構成を示すブロック図である。図４に示すように、操作部２９は、制御部３３と電気的に接続される。操作部２９は、使用者によって操作される複数の操作ボタンを有する。複数の操作ボタンの一例として、浴室Ｂ内の空気を温める際に操作する暖房開始ボタン３０、浴室Ｂ内に外気を取り込む際に操作する外気取込ボタン３１、浴室Ｂ内の空気を外部に排出する２４時間換気排気ボタン３２が挙げられる。外気取込ボタン３１は、外気取込間接風モード選択ボタン３１ａと、外気取込直接風モード選択ボタン３１ｂとを含む。
【００５１】
制御部３３は、操作部２９の操作に基づいて各種動作を実現するように、電気的に接続される熱交換器１６、循環送風機１７、ルーバー駆動部２０、第１ダンパ駆動部２１ａ、第２ダンパ駆動部２２ａ、排気送風機２４、給気送風機２７を制御する。ルーバー駆動部２０は、電動モータ（図示せず）を駆動源としてルーバー１９を傾動動作させる。第１ダンパ駆動部２１ａは、第１ダンパ２１を傾動動作させる。第２ダンパ駆動部２２ａは、第２ダンパ２２を傾動動作させる。
【００５２】
制御部３３は、例えば、暖房開始ボタン３０が操作されると、暖房運転時の状態となるよう第１ダンパ駆動部２１ａと第２ダンパ駆動部２２ａとを制御する。さらに制御部３３は、暖房運転を行うよう循環送風機１７と熱交換器１６とを駆動する。
【００５３】
制御部３３は、例えば、外気取込ボタン３１が操作されると、外気取込運転時の状態となるよう第１ダンパ駆動部２１ａと第２ダンパ駆動部２２ａとを制御する。さらに制御部３３は、外気取込運転を行うよう排気送風機２４と給気送風機２７とを駆動する。なお、このとき制御部３３は、常に給気送風機２７による給気風量よりも排気送風機２４による排気風量が多くなるよう排気送風機２４と給気送風機２７とを制御する。
【００５４】
外気取込ボタン３１の外気取込間接風モード選択ボタン３１ａが操作された場合、制御部３３は、風向きが浴室Ｂの壁面Ｂａ側となるようにルーバー駆動部２０を制御してルーバー１９の傾動位置を調整する。また、外気取込ボタン３１の外気取込直接風モード選択ボタン３１ｂが操作された場合、制御部３３は、風向きが浴室Ｂの床面Ｂｂ側となるようにルーバー駆動部２０を制御してルーバー１９の傾動位置を調整する。
【００５５】
また、外気取込直接風モードもしくは外気取込間接風モードにおいて、制御部３３は、ゆらぎ制御を実施することが好ましい。ゆらぎ制御とは、給気送風機２７の電動モータの回転を制御して送り出す空気（外気）の風量をランダムに変動させる制御のことをいう。ゆらぎ制御の一例としては１／ｆゆらぎ制御が挙げられるがこれに限らない。
【００５６】
制御部３３は、例えば、２４時間換気排気ボタン３２が操作されると、２４時間換気排気運転時の状態となるよう第１ダンパ駆動部２１ａと第２ダンパ駆動部２２ａとを制御する。さらに制御部３３は、２４時間換気排気運転を行うよう排気送風機２４と給気送風機２７とを駆動する。このとき制御部３３は、給気送風機２７による給気風量を排気送風機２４による排気風量の１％〜１５％にするよう、給気送風機２７と排気送風機２４とを制御する。
【００５７】
（実施の形態２）
図５〜図７において、図１〜図４と同様の構成要素については同一の符号を付し、その詳細な説明は省略する。
【００５８】
図５は、本発明の実施の形態２の浴室暖房乾燥機を浴室に設置した状態を示す側面図である。図６は、本発明の実施の形態２の浴室暖房乾燥機のルーバーを床面へ向けた状態を示す側面図である。
【００５９】
図５および図６に示すように、外気導入部１３と第１風路３８または第４風路５０とが連通するよう、仕切り板１８の端部と第２ダンパ取付部材２２ｂの端部とを接合する構成としてもよい。また、本体ケース１４内に第３ダンパ３４を設ける構成としてもよい。第３ダンパ３４は、仕切り板１８と風路壁３６とで仕切られる空間に設けられる。第３ダンパ３４が閉状態であると、第４風路５０が形成される。第４風路５０は、仕切り板１８と風路壁３６と第３ダンパ３４とで仕切られた風路である。第３ダンパ３４が開状態であると、第４風路５０は形成されず、実施の形態１と同様に、第１風路３８が送気口１５ｂと連通する。また、仕切り板１８と本体ケース１４の内側天面３７とで仕切られた風路を第５風路５１とする。
【００６０】
第２ダンパ２２が開状態で且つ第３ダンパ３４が閉状態の場合、外気導入部１３、第４風路５０、送気口１５ｂ、を順に通るように空気が流入する。
【００６１】
浴室暖房乾燥機１０の暖房運転（暖房運転モード）時、第１ダンパ２１は閉状態で且つ第２ダンパ２２は閉状態で且つ第３ダンパ３４は開状態である。そして、循環送風機１７によって浴室Ｂ内の空気が吸込口１５ａから本体部１１内に取り込まれる。取り込まれた空気が熱交換器１６によって温められ、第１風路３８を通って送気口１５ｂから浴室Ｂ内に送り出される。
【００６２】
浴室暖房乾燥機１０の外気取込運転（外気取込運転モード）時、第１ダンパ２１は開状態で且つ第２ダンパ２２は開状態で且つ第３ダンパ３４は閉状態である。そして、給気送風機２７によって、外気導入部１３、第４風路５０、送気口１５ｂ、を順に通って浴室Ｂに外気が導入される。排気送風機２４によって、吸込口１５ａ、第５風路５１、排気部１２、を順に通って本体部１１から外部へ浴室Ｂ内の空気が排気される。取り込まれた外気が第４風路５０を流れることによって、浴室Ｂへの外気の送風がより速やかに行われる。
【００６３】
浴室暖房乾燥機１０の２４時間換気排気運転（排気運転モード）時、第１ダンパ２１は開状態で且つ第２ダンパ２２は開状態で且つ第３ダンパ３４は閉状態である。そして給気送風機２７によって、外気導入部１３、第４風路５０、送気口１５ｂ、を順に通って浴室Ｂに外気が導入される。排気送風機２４によって、吸込口１５ａ、第５風路５１、排気部１２、を順に通って本体部１１から外部へ浴室Ｂ内の空気が排気される。なお、２４時間排気換気運転時、第３ダンパ３４は開状態であってもよい。第３ダンパ３４が開状態である場合、給気送風機２７によって、外気導入部１３、第１風路３８、送気口１５ｂを通って、浴室Ｂに外気が導入される。
【００６４】
ここで、本発明の実施の形態２の浴室暖房乾燥機１０の操作の一例について図７を用いて説明する。図７は、本発明の実施の形態２の浴室暖房乾燥機の構成を示すブロック図である。第３ダンパ駆動部３４ａは制御部３３と電気的に接続される。制御部３３は、操作部２９の操作に基づいて各種動作を実現するように、第３ダンパ駆動部３４ａを制御する。第３ダンパ駆動部３４ａは、電動モータ（図示せず）を駆動源として、第３ダンパ３４を傾動動作させる。
【００６５】
制御部３３は、例えば、暖房開始ボタン３０が操作されると、暖房運転時の状態となるよう第１ダンパ駆動部２１ａと第２ダンパ駆動部２２ａと第３ダンパ駆動部３４ａとを制御する。
【００６６】
制御部３３は、例えば、外気取込ボタン３１が操作されると、外気取込運転時の状態となるよう第１ダンパ駆動部２１ａと第２ダンパ駆動部２２ａと第３ダンパ駆動部３４ａとを制御する。
【００６７】
制御部３３は、例えば、２４時間換気排気ボタン３２が操作されると、２４時間換気排気運転時の状態となるよう第１ダンパ駆動部２１ａと第２ダンパ駆動部２２ａと第３ダンパ駆動部３４ａとを制御する。
【００６８】
次に、本実施の形態１の効果を記載する。
【００６９】
（１）外気を取り込んで、取り込んだ外気を浴室Ｂ内に送り出す送風機を有する外気導入部１３を備えることで、浴室Ｂ内に外気を導入することができる。これによって、露天風呂のような大気浴を使用者にて実施することができ、快適な浴室環境を創り出すことができる。
【００７０】
また、浴室Ｂ内において、浴室Ｂ内の温度の高い状態（例えば、３５℃）での入浴者に、夏場は外気である夜気を活用即ち導入し、冬場は低温の外気を活用即ち導入することで、快適な浴室環境を創り出すことができる。
【００７１】
（２）ルーバー駆動部２０と制御部３３とによって、ルーバー１９の向きが、浴室Ｂ内の壁面Ｂａ側に取り込んだ外気を送り出すような向きと、浴室Ｂ内の床面Ｂｂ側に取り込んだ外気を送り出すような向きに調整される。このような構成とすることで、使用者の好みに合わせてルーバー１９の向きを調整して取り込んだ外気の送風方向を調整することができる。
【００７２】
（３）給気送風機２７が制御部３３によってゆらぎ制御されるため、浴室Ｂ内に供給される外気の風量が変動される。これにより、使用者に対して浴室Ｂ内に居ながら露天風呂に居るような疑似体験を付与することができ、快適な浴室環境を創り出すことができる。
【００７３】
（４）フィルタ部２８ａが連通管２８に設けられることで、外気を浴室Ｂ内に導入する場合、塵埃が浴室Ｂ内に流入することが抑えられる。
【００７４】
次に、本実施の形態２の効果を記載する。
【００７５】
・取り込まれた外気が第４風路５０を流れることによって、浴室Ｂへの外気の送風がより速やかに行われる。
【００７６】
なお、上記実施形態は、以下のように変更してもよい。
【００７７】
・上記実施の形態１では、外気導入部１３の風路中である連通管２８にフィルタ部２８ａを設けることとしたが、外気導入部１３の風路中であれば他の位置にフィルタ部２８ａを設ける構成を採用してもよい。またフィルタ部２８ａを省略した構成を採用してもよい。
【００７８】
・上記実施の形態１では、制御部３３は、給気送風機２７により送り出す外気の風量を変動させるゆらぎ制御を実施する構成としたが、これに限らず、風量が一定となるように給気送風機２７を制御する構成を採用してもよい。
【００７９】
・上記実施の形態１では、外気導入部１３のケース２６を本体ケース１４に対して取り付ける構成としたが、ケース２６を建物外部に設ける構成を採用してもよい。
【００８０】
・上記実施の形態１では、２４時間換気排気運転中の少量の給気において、給気風量の割合を排気風量の１％〜１５％としたが、５〜１０％程度であってもよい。
【００８１】
以上、本発明に係る浴室暖房乾燥機について、実施の形態に基づいて説明したが、本発明は、実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００８２】
以上のように、本発明にかかる浴室暖房乾燥機は、外気を浴室内に導入することで更なる快適性を向上させることができる。
【符号の説明】
【００８３】
１０    浴室暖房乾燥機
１１    本体部
１２    排気部
１３    外気導入部
１４    本体ケース
１５    フロントパネル
１５ａ    吸込口
１５ｂ    送気口
１６    熱交換器（加温部）
１７    循環送風機
１８    仕切り板
１９    ルーバー
２０    ルーバー駆動部
２１    第１ダンパ
２１ａ    第１ダンパ駆動部
２１ｂ    第１ダンパ取付部材
２２    第２ダンパ
２２ａ    第２ダンパ駆動部
２２ｂ    第２ダンパ取付部材
２３    ケース
２４    排気送風機
２５    連通管
２６    ケース
２７    給気送風機
２８    連通管
２８ａ    フィルタ部
２９    操作部
３０    暖房開始ボタン
３１ａ    外気取込間接風モード選択ボタン
３１ｂ    外気取込直接風モード選択ボタン
３２    ２４時間換気排気ボタン
３３    制御部
３４    第３ダンパ
３４ａ    第３ダンパ駆動部
３５    ガラリ
３６    風路壁
３７    内側天面
３８    第１風路
３９    第２風路
４０    排気側仕切り板
４１    第３風路
５０    第４風路
５１    第５風路
Ｂ    浴室
Ｂａ    壁面
Ｂｂ    床面
Ｂｘ    天井部
【図１】
2017181016.tif 000003
【図２】
2017181016.tif 000004
【図３】
2017181016.tif 000005
【図４】
2017181016.tif 000006
【図５】
2017181016.tif 000007
【図６】
2017181016.tif 000008
【図７】
2017181016.tif 000009